(57)【要約】【課題】  環状ランプの脱着が容易で、箱詰めした場合に外部からの衝撃を受けてもランプが揺動、破損し難い箱詰め用保持具とそれを用いた梱包装置を提供する。【解決手段】  環状ランプが載置される基部１１と、基部１１に対してほぼ垂直に形成されて基部１１に対する環状ランプの水平方向の動きを規制するランプ規制部１２と、ランプ規制部１２に連続し、基部１１との間で環状ランプを上下方向に挟み込む一対のフラップ１３とを備え、一対のフラップ１３が、相互に折り重ねられて接触し、相互に折り重ねられたフラップ１３の先端部１３ａが、少なくとも２つの辺１３ａ１、１３ａ３から形成され、２つの辺１３ａ１、１３ａ３がほぼ直角をなし、フラップ１３の先端部１３ａが、ランプ規制部１２の外周縁部よりも外側に配置されている環状ランプの箱詰め用保持具とする。【選択図】  図１
2005104588.tif 000002
【特許請求の範囲】
【請求項１】
環状ランプが載置される基部と、前記基部に対してほぼ垂直に形成されて前記基部に対する環状ランプの水平方向の動きを規制するランプ規制部と、前記基部の外側に設けられて前記ランプ規制部に連続する一対のフラップを形成するための切り込みと、前記ランプ規制部を形成するための切り込みとを備えた環状ランプの箱詰め用保持具であって、
前記フラップの両端部が、少なくとも２つの辺から形成され、前記２つの辺がほぼ直角をなしていることを特徴とする環状ランプの箱詰め用保持具。
【請求項２】
環状ランプが載置される基部と、前記基部に対してほぼ垂直に形成され前記基部に対する環状ランプの水平方向の動きを規制するランプ規制部と、前記ランプ規制部に連続し、前記基部との間で前記環状ランプを上下方向に挟み込む一対のフラップとを備えた環状ランプの箱詰め用保持具であって、
前記一対のフラップが、相互に折り重ねられて接触し、
相互に折り重ねられた前記フラップの両端部が、少なくとも２つの辺から形成され、前記２つの辺がほぼ直角をなし、
前記フラップの両端部が、前記ランプ規制部の外周縁部よりも外側に配置されていることを特徴とする環状ランプの箱詰め用保持具。
【請求項３】
前記ランプ規制部の外周縁部に、前記環状ランプよりも径の大きい大径環状ランプに内接して前記大径環状ランプを保持する大径ランプ保持部がさらに設けられ、前記フラップの両端部が、前記大径環状ランプの外径位置よりも外側に配置されている請求項１または２に記載の環状ランプの箱詰め用保持具。
【請求項４】
前記大径ランプ保持部に、前記大径環状ランプの内径部が食い込むための切り込みがさらに設けられている請求項３に記載の環状ランプの箱詰め用保持具。
【請求項５】
前記ランプ規制部の内側に、前記環状ランプよりも径の小さい最小径環状ランプに外接して前記最小径環状ランプを保持する最小径ランプ保持部がさらに設けられている請求項１〜４のいずれかに記載の環状ランプの箱詰め用保持具。
【請求項６】
前記環状ランプの円形部の中心および前記最小径環状ランプの円形部の中心が、前記大径環状ランプの円形部の中心上から偏移して配置されるように、前記ランプ規制部および前記最小径ランプ保持部の大きさが設定されている請求項５に記載の環状ランプの箱詰め用保持具。
【請求項７】
請求項１〜６のいずれかに記載の環状ランプの箱詰め用保持具と、前記保持具が挿入される外箱とを備えた環状ランプの梱包装置であって、
前記保持具のフラップの両端部が、前記外箱の主面の対角線上の両端部に配置されることを特徴とする環状ランプの梱包装置。
【請求項８】
前記フラップの端部に、さらに取り出しフックが設けられている請求項７に記載の環状ランプの梱包装置。
【請求項９】
前記外箱の主面の端部に、さらに取り出し指穴が設けられている請求項７に記載の環状ランプの梱包装置。
【請求項１０】
前記外箱の主面に、さらに手提げ穴が設けられている請求項７〜９のいずれかに記載の環状ランプの梱包装置。
【請求項１１】
前記手提げ穴が、前記外箱の主面に設けられた折り返し部を前記外箱の内部に折り返すことにより形成される請求項１０に記載の環状ランプの梱包装置。
【請求項１２】
前記折り返し部が、前記外箱の主面の一辺側に偏移して形成され、前記折り返し部を形成するための切り込みが、前記外箱の主面の前記一辺側に形成されているとともに、その反対側に支持部が形成されている請求項１１に記載の環状ランプの梱包装置。
【発明の詳細な説明】
【技術分野】
【０００１】
本発明は、蛍光灯などの環状ランプを箱に入れて運搬などを行う場合にランプの揺動、破損などを防止するための環状ランプの箱詰め用保持具およびそれを用いた梱包装置に関する。
【背景技術】
【０００２】
従来から、蛍光灯などの環状ランプを箱に入れて運搬などを行う場合にランプの揺動、破損などを防止するために、図１６〜図１８に示すような環状ランプの箱詰め用保持具が用いられている（例えば、特許文献１参照。）。
【０００３】
この従来の保持具２０には、紙板材の打ち抜き加工により、小径ランプＬｓが載置される基部２１の左右両側に、基部２１に対して上向き階段状に折り曲げられるランプ規制部２２が設けられている。
【０００４】
また、ランプ規制部２２は、基部２１に対して上向き垂直に折り曲げられる主部２２ａと、この主部２２ａの上端から水平に延びる水平部２２ｂから成り、主部２２ａの前後方向中間部に、基部２１に対して水平に連続するフラップ２３および窓孔２４を形成するための切り込み２５が設けられている。なお、線２６、２７は、ランプ規制部２２を上向き階段状に折り曲げるための折り目である。
【０００５】
基部２１、およびランプ規制部２２の主部２２ａの前後方向寸法は大径ランプＬｒの内径寸法と同等に形成され、基部２１の前後両端２１ａ、およびランプ規制部主部２２ａの前後両端２２ａ１が、大径ランプＬｒに内接する大径ランプ保持部となっている。
【０００６】
これに対し、ランプ規制部２２の水平部２２ｂは大径ランプＬｒから前後および左右方向にはみ出し、外箱３２に入れた状態で外箱３２の内面に接する寸法に形成されている。
【０００７】
また、この水平部２２ｂにおける前後方向中間部で、かつ左右方向の端部近くの部分に、支持片２８を形成するための切り込み２９が設けられている。なお、線３０、３１は、この支持片２８を下向きに折り曲げるための切り目である。
【０００８】
この従来の保持具２０を使用するときは、図１７、図１８に示すように、ランプ規制部２２を上向き階段状に折り曲げて窓孔２４を形成し、小径ランプＬｓの左右両側部をこの窓孔２４内に差し込む。この状態で、小径ランプＬｓはランプ規制部２２の水平部２２ｂとフラップ２３との間に挟み込まれて上下方向の動きを止められ、左右方向にはランプ規制部主部２２ａにより、また前後方向には窓孔２４によってそれぞれ動きを止められて安定良く保持される。
【０００９】
一方、大径ランプ保持部２１ａ、２２ａ１を大径ランプＬｒの前後両側に嵌め込むとともに、両側の支持片２８を大径ランプＬｒの下側に潜り込ませることによって大径ランプＬｒを４個所で保持する。
【００１０】
そして、この状態で図１８に示すように保持具２０とともにランプＬｓ、Ｌｒを外箱３２に入れて箱詰め作業が完了する。この箱詰め状態で、ランプ規制部２２の水平部２２ｂが外箱３２の内面に接することにより大径ランプＬｒと外箱３２の内面との間に隙間が確保され、外部からの衝撃などによる大径ランプＬｒの破損などが防止される。
【特許文献１】特開平１０−１８１７８４号公報
【発明の開示】
【発明が解決しようとする課題】
【００１１】
しかし、上記従来の保持具には、次のような問題があった。
【００１２】
(1) 上記保持具を用いて箱詰めした場合、外部から衝撃が加わると、図１８のＡ方向、Ｂ方向に内部の大径ランプＬｒが移動し、衝撃が大きい場合には大径ランプＬｒが外箱内面に接触してランプ破損などが発生するおそれがある。また、このランプ破損を防止するためには、大径ランプＬｒの寸法バラツキを考慮した上で、大径ランプＬｒと外箱内面との間の隙間を大きくする必要があるため、外箱の大きさが大きくなってしまう。
【００１３】
(2) 上記構造の保持具では、上記ランプ規制部２２の上下左右への移動により保持具全体の形状が変形しやすく、箱詰めする際に保持具が箱の開口端につかえてスムーズな箱詰め作業が困難になる。
【００１４】
(3) 上記構造の保持具では、ランプを保持具に差し込むときは、小径ランプＬｓを差し込んだ後に大径ランプＬｒを差し込まなければならず、作業が繁雑となる。また、ランプを保持具から取り外すときも、例えば、小径ランプＬｓのみ使用したい場合であっても、大径ランプＬｒを取り外した後でないと、小径ランプＬｓを取り外すことができず不便である。
【課題を解決するための手段】
【００１５】
本発明は、環状ランプが載置される基部と、前記基部に対してほぼ垂直に形成されて前記基部に対する環状ランプの水平方向の動きを規制するランプ規制部と、前記基部の外側に設けられて前記ランプ規制部に連続する一対のフラップを形成するための切り込みと、前記ランプ規制部を形成するための切り込みとを備えた環状ランプの箱詰め用保持具であって、
前記フラップの両端部が、少なくとも２つの辺から形成され、前記２つの辺がほぼ直角をなしていることを特徴とする環状ランプの箱詰め用保持具を提供する。
【００１６】
また、本発明は、環状ランプが載置される基部と、前記基部に対してほぼ垂直に形成され前記基部に対する環状ランプの水平方向の動きを規制するランプ規制部と、前記ランプ規制部に連続し、前記基部との間で前記環状ランプを上下方向に挟み込む一対のフラップとを備えた環状ランプの箱詰め用保持具であって、
前記一対のフラップが、相互に折り重ねられて接触し、
相互に折り重ねられた前記フラップの両端部が、少なくとも２つの辺から形成され、前記２つの辺がほぼ直角をなし、
前記フラップの両端部が、前記ランプ規制部の外周縁部よりも外側に配置されていることを特徴とする環状ランプの箱詰め用保持具を提供する。
【００１７】
また、本発明は、上記記載の環状ランプの箱詰め用保持具と、前記保持具が挿入される外箱とを備えた環状ランプの梱包装置であって、
前記保持具のフラップの両端部が、前記外箱の主面の対角線上の両端部に配置されることを特徴とする環状ランプの梱包装置を提供する。
【発明の効果】
【００１８】
(1) 本発明の保持具は、請求項１に記載の構成を有することにより、段ボールなどの紙板材に打ち抜き加工のみを行うことで保持具を形成でき、打ち抜き加工後に紙板材の不要部分の除去（いわゆるカス取り）が必要ないため、製造が極めて容易となる。
【００１９】
(2) 本発明の保持具は、請求項２に記載の構成を有することにより、保持具の事前組み立てが不要となり、ランプの導入工程と並行して保持具を組み立てることができるため、ランプの梱包作業が簡素化できる。また、相互に折り重ねられた上記フラップの両端部が、少なくとも２つの辺から形成され、上記２つの辺がほぼ直角をなしているので、保持具を外箱に挿入した際に上記フラップの両端部を外箱の主面の対角線上の両端部に配置することが可能となり、フラップの両端部を外箱の隅部に隙間なく固定することができる。これにより、外部から衝撃が加わっても、外箱内で保持具が移動することがなくなるため、ランプと外箱内面との隙間を小さくしてもランプの破損を防止できる。このため、外箱の大きさを従来よりも小さくすることができる。なお、外箱の主面とは、環状ランプの円形部が対面する面をいう。
【００２０】
(3) 本発明の保持具は、請求項３に記載の構成を有することにより、小径ランプと大径ランプの２種類のランプを保持できる。
【００２１】
(4) 本発明の保持具は、請求項４に記載の構成を有することにより、大径ランプの保持をより確実にすることができる。
【００２２】
(5) 本発明の保持具は、請求項５に記載の構成を有することにより、小径ランプ、大径ランプおよび最小径ランプの３種類のランプを保持できる。
【００２３】
(6) 本発明の保持具は、請求項６に記載の構成を有することにより、小径ランプ、大径ランプおよび最小径ランプの３種類のランプを保持し、さらに後述する梱包装置に手提げ穴を形成するための折り返し部を設けても、その折り返し部が上記ランプに当たらない。
【００２４】
(7) 本発明の梱包装置は、請求項７に記載の構成を有することにより、フラップの両端部を外箱の隅部に隙間なく固定することができ、外部から衝撃が加わっても、外箱内で保持具が移動することがなくなるため、ランプと外箱内面との隙間を小さくしてもランプの破損を防止できる。このため、外箱の大きさを従来よりも小さくできる。
【００２５】
(8) 本発明の梱包装置は、請求項８に記載の構成を有することにより、保持具の取り出しが容易になる。即ち、上記保持具は、フラップが外箱の内面に接した状態で挿入されるため、外箱から取り出し難い傾向にあるが、取り出しフックを設けることにより、保持具の取り出しが容易になる。
【００２６】
(9) 本発明の梱包装置は、請求項９に記載の構成を有することにより、保持具の取り出しが容易となる。
【００２７】
(10) 本発明の梱包装置は、請求項１０に記載の構成を有することにより、外箱の運搬が容易となる。なお、前述のとおり、外箱の主面とは、環状ランプの円形部が対面する面をいう。
【００２８】
(11) 本発明の梱包装置は、請求項１１に記載の構成を有することにより、手提げ穴の形成が容易となる。
【００２９】
(12) 本発明の梱包装置は、請求項１２に記載の構成を有することにより、折り返し部が対面する外箱内面の内側に接触しても、確実に手提げ穴に手の指を挿入することができる。
【発明を実施するための最良の形態】
【００３０】
以下、本発明の実施の形態を図面に基づき説明する。
【００３１】
（実施形態１）
図１は、本発明の環状ランプの箱詰め用保持具の組み立て前の一例を示す展開平面図である。本実施形態の保持具１０は、段ボールなどの紙板材の打ち抜き加工により形成され、小径ランプＬｓが載置される基部１１と、基部１１に対してほぼ垂直に形成されて基部１１に対する小径ランプＬｓの水平方向の動きを規制するランプ規制部１２と、一対のフラップ１３とランプ規制部１２とを形成するための切り込み１４とを備えている。また、一対のフラップ１３は、基部１１の外側に設けられてランプ規制部１２に連続している。基部１１は、ほぼ長円状に形成されたランプ載置部１１ａと、張り出し部１１ｂとを備えている。なお、線１２ａ、１２ｂは、ランプ規制部１２をほぼ垂直に折り曲げるための折り目である。
【００３２】
ランプ規制部１２の内周縁部には、小径ランプＬｓを保持する小径ランプ保持部１５ａ、１５ｂ、１５ｃ、１５ｄが設けられている。小径ランプ保持部１５ａ〜１５ｄに小径ランプＬｓを保持させるために、小径ランプ保持部１５ａと１５ｄとの距離、および小径ランプ保持部１５ｂと１５ｃとの距離は、それぞれ小径ランプＬｓの外径寸法とほぼ同寸法に形成されている。また、小径ランプ保持部１５ａ〜１５ｄの形状は、小径ランプＬｓの形状に合わせて形成してある。
【００３３】
ランプ規制部１２の外周縁部には、小径ランプＬｓよりも径の大きい大径ランプＬｒに内接して大径ランプＬｒを保持する大径ランプ保持部１６ａ、１６ｂ、１６ｃ、１６ｄが設けられている。また、大径ランプ保持部１６ａ、１６ｃには、大径ランプＬｒの内径部が食い込むための切り込み１７が設けられている。なお、この切り込み１７は、大径ランプ保持部１６ａまたは１６ｂのいずれか一方、および大径ランプ保持部１６ｃまたは１６ｄのいずれか一方の２個所に設ければよい。
【００３４】
切り込み１７に大径ランプＬｒの内径部を食い込ませるために、大径ランプ保持部１６ａと１６ｄとの距離、および大径ランプ保持部１６ｂと１６ｃとの距離は、大径ランプＬｒの内径寸法のバラツキを考慮した上で、それぞれ大径ランプＬｒの内径寸法より若干大きく形成されている。また、大径ランプ保持部１６ｂ、１６ｄの形状は、大径ランプＬｒの形状に合わせて形成し、大径ランプ保持部１６ａ、１６ｃの形状は、ほぼストレートに形成してある。
【００３５】
フラップ１３の先端部１３ａは、３つの辺１３ａ１、１３ａ２、１３ａ３から形成され、その内の２つの辺１３ａ１と１３ａ３とはほぼ直角をなしている。これは、後述する外箱１８の隅部へ保持具１０を固定するためである。また、フラップ１３の先端部１３ａは、大径ランプＬｒの外径位置よりも外側に配置されている。
【００３６】
基部１１のランプ載置部１１ａは、小径ランプＬｓを中心部に載置した場合に、小径ランプＬｓがはみ出すことのない寸法に形成されている。これにより、保持具１０を組み立てた際に基部１１と小径ランプＬｓとが一体となって保持具１０の補強部となり、外力が加わっても保持具１０が変形することがなく、大径ランプＬｒが大径ランプ保持部１６ａ〜１６ｄから外れることがない。
【００３７】
また、図１に示したフラップ１３の寸法Ｌ1、Ｌ3および基部１１の寸法Ｌ2は、Ｌ1＝Ｌ2＝Ｌ3としてあり、Ｌ1、Ｌ2、Ｌ3は小径ランプＬｓの外径寸法のほぼ１／３の大きさに設定してある。
【００３８】
本実施形態の保持具１０を使用するときは、図２に示すようにランプ規制部１２を垂直に折り曲げて、小径ランプ保持部１５ａ〜１５ｄと一対のフラップ１３の内側に小径ランプＬｓを載置するとともに、大径ランプＬｒを大径ランプ保持部１６ａ〜１６ｄに保持させる。この状態で、大径ランプＬｒは、切り込み１７に食い込み、安定良く保持される。
【００３９】
この際、小径ランプＬｓ、大径ランプＬｒを同時に保持具１０に導入してもよいし、いずれかのランプを先に導入してもよいが、通常は大径ランプＬｒから導入される。大径ランプＬｒから導入すると、次に小径ランプＬｓを導入する際に小径ランプＬｓの位置決めが容易となるからである。いずれにしても、保持具１０の両面からそれぞれ小径ランプＬｓ、大径ランプＬｒを容易に導入できるので、ランプ導入作業の機械化が可能となる。
【００４０】
次に、図３に示すようにフラップ１３をそれぞれ折り重ねて接触させる。この状態で、小径ランプＬｓは、ランプ規制部１２の間に挟み込まれて水平方向の動きが止められ、かつフラップ１３により上下方向の動きが止められ、安定良く保持される。なお、小径ランプＬｓの口金Ｌｓ１と大径ランプＬｒの口金Ｌｒ１とは、フラップ１３と重ならない位置に配置される。口金Ｌｓ１、Ｌｒ１の外径は、ランプ管の外径より大きいため、フラップ１３と重なるとフラップ１３を変形させるおそれがあるからである。
【００４１】
そして、この状態で図４に示すように保持具１０とともにランプＬｓ、Ｌｒを外箱１８に挿入して箱詰め作業が完了する。
【００４２】
この箱詰め状態で、フラップ１３の両端部は外箱１８の対角線上の両端部に配置され、外箱１８内に確実に固定される。これにより、保持具１０が外箱１８内で揺動することがなくなり、大径ランプＬｒと外箱１８の内面との隙間が変動することもなくなる。このため、大径ランプＬｒの寸法バラツキを考慮して上記隙間を設定することで、大径ランプＬｒと外箱１８の内面との接触が避けられ、外部からの衝撃などによる大径ランプＬｒの破損などが防止される。
【００４３】
ランプを使用するときは、外箱１８から保持具１０を取り出し、必要なランプを保持具１０から容易に外すことができる。例えば、小径ランプＬｓのみを使用したい場合、または大径ランプＬｒのみを使用したい場合でも、他方のランプをそのまま保持しておいても、必要なランプのみを外すことができるので便利である。
【００４４】
なお、本実施形態では、ランプを保持した保持具１０を外箱１８に一つだけ挿入した例を示したが、外箱１８の大きさを変更することにより、複数の保持具１０を同時に挿入することもできる。
【００４５】
（実施形態２）
本実施形態は、図５に示すように、大径ランプＬｒを除いた以外は、実施形態１と同様である。この状態で、小径ランプＬｓは、ランプ規制部１２の間に挟み込まれて水平方向の動きが止められ、かつフラップ１３により上下方向の動きが止められ、安定良く保持される。また、小径ランプＬｓのみを保持する場合でも、本実施形態の保持具１０は、実施形態１と同様に外箱１８に確実に固定することができる。なお、本実施形態では、大径ランプ保持部１６ａ〜１６ｄの形成を省略することができる。
【００４６】
（実施形態３）
本実施形態は、図６に示すように、小径ランプＬｓを除いた以外は、実施形態１と同様である。この状態で、大径ランプＬｒは大径ランプ保持部１６ａ〜１６ｄに保持されるとともに、切り込み１７に食い込み、安定良く保持される。大径ランプＬｒのみを保持する場合でも、本実施形態の保持具１０は、実施形態１と同様に外箱１８に確実に固定することができ、外部からの衝撃などによる大径ランプＬｒの損傷などが防止される。
【００４７】
（実施形態４）
本実施形態は、図７に示すようにフラップ１３の端部の一辺に保持具１０の取り出しフック１３ｂを設けた以外は、実施形態１と同様である。これにより、図８に示すように保持具１０の外箱１８からの取り出しが容易となる。図８では、取り出しフック１３ｂは、外箱１８の端部から突出した状態に配置される。
【００４８】
（実施形態５）
本実施形態は、図９に示すように外箱１８の端部に保持具１０の取り出し指穴１８ａを設けた以外は、実施形態１と同様である。これにより、保持具１０の外箱１８からの取り出しが容易となる。
【００４９】
（実施形態６）
本実施形態は、図１０に示すように外箱１８の外面に手提げ穴を形成するための折り返し部１９を設けた以外は、実施形態１と同様である。折り返し部１９は、外箱１８の内部に折り返すことができるように、切り込み１９ａと支持部１９ｂとから成る。また、折り返し部１９は、折り返した際に内部の保持具１０またはランプＬｓ、Ｌｒに当たらない位置である外箱１８の主面の一辺側に偏移して形成される。さらに、折り返し部１９は、指の入れ易さ、およびランプの取り出し時に折り返し部１９が抵抗にならないように、図１０に示すように、切り込み１９ａが外箱１８の主面の上記一辺側に形成されているとともに、その反対側に支持部１９ｂが形成されていることが好ましい。
【００５０】
（実施形態７）
図１１は、本発明の環状ランプの箱詰め用保持具の組み立て前の他の一例を示す展開平面図である。本実施形態の保持具４０は、段ボールなどの紙板材の打ち抜き加工により形成され、小径ランプＬｓが載置される基部４１と、基部４１に対してほぼ垂直に形成されて基部４１に対する小径ランプＬｓの水平方向の動きを規制するランプ規制部４２ａ、４２ｂ、４２ｃ、４２ｄと、一対のフラップ４３とランプ規制部４２ａ〜４２ｄとを形成するための切り込み４４ａと打ち抜き部４４ｂとを備えている。また、一対のフラップ４３は、基部４１の両側に設けられてランプ規制部４２ａ〜４２ｄに連続している。さらに、一対のフラップ４３は、それぞれ外側に張り出している補強部４３ｂ、４３ｃを備えている。補強部４３ｂ、４３ｃは、打ち抜き部４４ｂを設けることにより低下したフラップ４３の強度を補強するためのものである。但し、フラップ４３の厚さ、材質などによっては補強部４３ｂ、４３ｃは必ずしも必要ない。なお、線４２１、４２２は、ランプ規制部４２ａ〜４２ｄをほぼ垂直に折り曲げるための折り目である。
【００５１】
ランプ規制部４２ａ〜４２ｄの内周縁部には、小径ランプＬｓを保持する小径ランプ保持部４５ａ、４５ｂ、４５ｃ、４５ｄが設けられている。小径ランプ保持部４５ａ〜４５ｄに小径ランプＬｓを保持させるために、小径ランプ保持部４５ａと４５ｄとの距離、および小径ランプ保持部４５ｂと４５ｃとの距離は、それぞれ小径ランプＬｓの外径寸法とほぼ同寸法に形成されている。また、小径ランプ保持部４５ａ〜４５ｄの形状は、小径ランプＬｓの形状に合わせて形成してある。
【００５２】
ランプ規制部４２ａ〜４２ｄの外周縁部には、小径ランプＬｓよりも径の大きい大径ランプＬｒに内接して大径ランプＬｒを保持する大径ランプ保持部４６ａ、４６ｂ、４６ｃ、４６ｄが設けられている。また、大径ランプ保持部４６ａ、４６ｂまたは４６ｃ、４６ｄには、実施形態１と同様に大径ランプＬｒの内径部が食い込むための切り込みを設けてもよい。
【００５３】
本実施形態では、さらにランプ規制部４７ａ、４７ｂ、４７ｃ、４７ｄが設けられ、そのランプ規制部４７ａ〜４７ｄの内側には、小径ランプＬｓよりも径の小さい最小径ランプＬｔに外接して最小径ランプＬｔを保持する最小径ランプ保持部４８ａ、４８ｂ、４８ｃ、４８ｄが設けられている。なお、線４７１、４７２は、ランプ規制部４７ａ〜４７ｄを斜めに折り曲げるための折り目である。
【００５４】
また、ランプ規制部４７ａ〜４７ｄの両側には、それぞれ打ち抜き部４９ａ、４９ｂ、４９ｃ、４９ｄ、５０ａ、５０ｂ、５０ｃ、５０ｄが設けられている。さらに、一対のフラップ４３の内側には、基部４１およびランプ規制部４７ａ〜４７ｄに連続する一対の折り返し部５１が設けられている。なお、線５１ａ、５１ｂ、５１ｃは、折り返し部５１を折り返すための折り目である。
【００５５】
ランプ規制部４２ａ、４２ｂ、４２ｃ、４２ｄの大きさおよびランプ規制部４７ａ、４７ｂ、４７ｃ、４７ｄの大きさは、それぞれ小径ランプＬｓの円形部の中心および最小径ランプＬｔの円形部の中心が大径ランプＬｒの円形部の中心上から偏移して配置されるように設定されている。具体的には図１１に示すように、ランプ規制部４２ａ〜４２ｄの横幅の寸法をそれぞれＬ４２ａ、Ｌ４２ｂ、Ｌ４２ｃ、Ｌ４２ｄとすると、Ｌ４２ａ＜Ｌ４２ｂ＜Ｌ４２ｃ＜Ｌ４２ｄに設定されている。また、ランプ規制部４７ａ〜４７ｄの横幅の寸法をそれぞれＬ４７ａ、Ｌ４７ｂ、Ｌ４７ｃ、Ｌ４７ｄとすると、Ｌ４７ａ＜Ｌ４７ｃ＜Ｌ４７ｂ＜Ｌ４７ｄに設定されている。もちろん、小径ランプＬｓの円形部の中心および最小径ランプＬｔの円形部の中心を、大径ランプＬｒの円形部の中心上に配置する実施形態とすることもできる。その場合には、Ｌ４２ａ＝Ｌ４２ｂ＝Ｌ４２ｃ＝Ｌ４２ｄに設定するとともに、Ｌ４７ａ＝Ｌ４７ｃ＝Ｌ４７ｂ＝Ｌ４７ｄに設定すればよい。
【００５６】
フラップ４３の先端部４３ａは、３つの辺４３ａ１、４３ａ２、４３ａ３から形成され、その内の２つの辺４３ａ１と４３ａ３とはほぼ直角をなしている。これは、実施形態１と同様に後述する外箱５２の隅部へ保持具４０を固定するためである。また、フラップ４３の先端部４３ａは、大径ランプＬｒの外径位置よりも外側に配置されているのも実施形態１と同様である。
【００５７】
本実施形態の保持具４０を使用するときは、折り返し部５１を基部４１側に折り返すことにより、図１２に示すようにホルダー５３を形成するとともに、ランプ規制部４７ａ〜４７ｄを斜めに折り曲げる。さらに、ランプ規制部４２ａ〜４２ｄを垂直に折り曲げる。次に、図１３に示すように、最小径ランプＬｔを最小径ランプ保持部４８ａ〜４８ｄとホルダー５３の間に保持させ、小径ランプＬｓを小径ランプ保持部４５ａ〜４５ｄとランプ規制部４７ａ〜４７ｄの間に保持させ、さらに大径ランプＬｒを大径ランプ保持部４６ａ〜４６ｄに保持させる。
【００５８】
次に、図１４に示すようにフラップ４３をそれぞれ折り重ねて接触させる。この状態で、小径ランプＬｓは、ランプ規制部４２ａ〜４２ｄとランプ規制部４７ａ〜４７ｄの間に挟み込まれて水平方向の動きが止められ、かつフラップ４３により上下方向の動きが止められ、安定良く保持される。また、最小径ランプＬｔは、ランプ規制部４７ａ〜４７ｄとホルダー５３の間に挟み込まれて水平方向の動きが止められ、かつフラップ４３により上下方向の動きが止められ、安定良く保持される。なお、大径ランプＬｒの口金Ｌｒ１、小径ランプＬｓの口金Ｌｓ１、および最小径ランプＬｔの口金Ｌｔ１は、フラップ４３と重ならない位置に配置されるのは実施形態１と同様である。
【００５９】
図１４において、大径ランプＬｒの円形部の中心は、フラップ４３の両端部を通る線Ｃ−Ｃ上に位置している。また、小径ランプＬｓの円形部の中心および最小径ランプＬｔの円形部の中心は、大径ランプＬｒの円形部の中心を通って斜めに延びる線Ｄ−Ｄ上に偏移して位置している。なお、図１４では、大径ランプＬｒの円形部の中心を線Ｃ−Ｃ上に配置したが、最小径ランプＬｔの円形部の中心を線Ｃ−Ｃ上に配置する実施形態とすることもできる。
【００６０】
そして、この状態で図１５に示すように保持具４０とともにランプＬｒ、Ｌｓ、Ｌｔを外箱５２に挿入して箱詰め作業が完了する。
【００６１】
この箱詰め状態で、フラップ４３の両端部は外箱５２の対角線上の両端部に配置され、外箱５２内に確実に固定される。これにより、保持具４０が外箱５２内で揺動することがなくなり、大径ランプＬｒと外箱５２の内面との隙間が変動することもなくなる。このため、大径ランプＬｒの寸法バラツキを考慮して上記隙間を設定することで、大径ランプＬｒと外箱５２の内面との接触が避けられ、外部からの衝撃などによる大径ランプＬｒの破損などが防止される。
【００６２】
また、外箱５２には手提げ穴を形成するための折り返し部５４が、外箱５２の主面の一辺側に偏移して設けられている。この場合でも、大径ランプＬｒに対して小径ランプＬｓおよび最小径ランプＬｔが偏移しているため、折り返し部５４を外箱５２の内側に折り返してもランプＬｒ、Ｌｓ、Ｌｔには当たらない。
【００６３】
本実施形態では、３本の環状ランプを保持させた例を示したが、実施形態１または実施形態２、実施形態３と同様に２本または１本の環状ランプを保持させることもできる。但し、例えば大径ランプＬｒと小径ランプＬｓの２本の環状ランプを用いる場合でも、２本の環状ランプが近接している場合には、２本の環状ランプの円形部の中心をそれぞれ異なる位置に配置することが好ましい。これにより、外箱５２に手提げ穴を形成するための折り返し部５４を外箱５２の主面の一辺側に偏移して設けた場合でも、折り返し部５４を外箱５２の内側に折り返しても２本の環状ランプには当たらないからである。
【００６４】
なお、ホルダー５３にランプ保持部をさらに設けることにより、より径の小さい環状ランプを保持させることもできる。これにより、４本以上の環状ランプを保持させることができる。
【００６５】
本実施形態では、さらに実施形態４と同様にして、保持具４０に取り出しフックを設けることもできる。また、取り出しフックを設けない場合でも、実施形態５と同様にして、外箱５２に取り出し指穴を設けることもできる。
【産業上の利用可能性】
【００６６】
以上説明したように本発明は、蛍光灯などの環状ランプを箱に入れて運搬などを行う場合にランプの揺動、破損などを防止するための環状ランプの箱詰め用保持具およびそれを用いた梱包装置を提供することができ、その工業的価値は大である。
【図面の簡単な説明】
【００６７】
【図１】本発明の実施形態１の保持具の組み立て前の展開平面図である。
【図２】本発明の実施形態１の保持具に小径ランプと大径ランプとを導入した状態の斜視図である。
【図３】本発明の実施形態１の保持具に小径ランプと大径ランプとを保持した状態の斜視図である。
【図４】本発明の実施形態１の保持具を外箱に挿入した状態の断面図である。
【図５】本発明の実施形態２の保持具の斜視図である。
【図６】本発明の実施形態３の保持具の斜視図である。
【図７】本発明の実施形態４の保持具の斜視図である。
【図８】本発明の実施形態４の保持具を外箱に挿入した状態の断面図とその要部斜視図である。
【図９】本発明の実施形態５の梱包装置の斜視図である。
【図１０】本発明の実施形態６の梱包装置の斜視図である。
【図１１】本発明の実施形態７の保持具の組み立て前の展開平面図である。
【図１２】本発明の実施形態７の保持具の組み立て中の平面図である。
【図１３】本発明の実施形態７の保持具に大径ランプと小径ランプと最小径ランプとを導入した状態の平面図である。
【図１４】本発明の実施形態７の保持具に大径ランプと小径ランプと最小径ランプとを保持した状態の平面図である。
【図１５】本発明の実施形態７の保持具を外箱に挿入した状態の断面図である。
【図１６】従来の保持具の組み立て前の展開平面図である。
【図１７】従来の保持具にランプを保持した状態の斜視図である。
【図１８】従来の保持具を外箱に挿入した状態の断面図である。
【符号の説明】
【００６８】
１０、２０、４０  保持具
１１、２１、４１  基部
１２、２２、４２ａ、４２ｂ、４２ｃ、４２ｄ  ランプ規制部
１３、２３、４３  フラップ
１３ａ、４３ａ  フラップの先端部
１３ｂ  取り出しフック
１４、４４ａ  切り込み
１５ａ、１５ｂ、１５ｃ、１５ｄ  小径ランプ保持部
４５ａ、４５ｂ、４５ｃ、４５ｄ  小径ランプ保持部
１６ａ、１６ｂ、１６ｃ、１６ｄ  大径ランプ保持部
４６ａ、４６ｂ、４６ｃ、４６ｄ  大径ランプ保持部
４７ａ、４７ｂ、４７ｃ、４７ｄ  ランプ規制部
４８ａ、４８ｂ、４８ｃ、４８ｄ  最小径ランプ保持部
１７  切り込み
１８、３２、５２  外箱
１８ａ  取り出し指穴
１９  折り返し部
１９ａ  切り込み
１９ｂ  支持部
５３  ホルダー
５４  折り返し部
Ｌｒ  大径ランプ
Ｌｓ  小径ランプ
Ｌｔ  最小径ランプ
【図１】
2005104588.tif 000003
【図２】
2005104588.tif 000004
【図３】
2005104588.tif 000005
【図４】
2005104588.tif 000006
【図５】
2005104588.tif 000007
【図６】
2005104588.tif 000008
【図７】
2005104588.tif 000009
【図８】
2005104588.tif 000010
【図９】
2005104588.tif 000011
【図１０】
2005104588.tif 000012
【図１１】
2005104588.tif 000013
【図１２】
2005104588.tif 000014
【図１３】
2005104588.tif 000015
【図１４】
2005104588.tif 000016
【図１５】
2005104588.tif 000017
【図１６】
2005104588.tif 000018
【図１７】
2005104588.tif 000019
【図１８】
2005104588.tif 000020